(57)【要約】【課題】移動体端末装置の利用者の位置状況や行動特性に基づいて効果的に広告メールを配信することができる機能を備えた、広告メール配信装置を提供することを目的としている。【解決手段】記憶部１２が、移動体端末装置４が存在する地理的位置を規定時間毎に検出した位置情報を記憶し、制御部１１が、記憶部１２で記憶する位置情報に基いて、広告メールを配信する移動体端末装置４を特定する。【選択図】  図１
2004151954.tif 000002
【特許請求の範囲】
【請求項１】
移動体端末装置が存在する地理的位置を時間の経過に対応付けて記録した履歴を記憶する位置情報記憶手段と、
前記履歴に基づいて、広告メール配信先である前記移動体端末装置を特定する広告メール配信先決定手段と、
を備えることを特徴とする広告メール配信装置。
【請求項２】
前記履歴は、移動体端末装置の識別情報と、前記移動体端末装置の位置範囲情報とを対応付けて保持する履歴であり、
前記広告メール配信先決定手段は、特定の位置範囲情報が前記履歴で保持されている回数を、移動体端末装置の識別情報毎に数えて、前記回数が予め指定されている指定回数の条件を満たす移動体端末装置を広告メール配信先として特定する
ことを特徴とする請求項１に記載の広告メール配信装置。
【請求項３】
前記履歴は、移動体端末装置の識別情報と、前記移動体端末装置の位置範囲情報とを対応付けて保持する履歴であり、
前記広告メール配信先決定手段は、前記位置範囲情報により特定できる位置情報に基づいて、前記時間の経過に伴って各移動体端末装置が移動した距離を算出し、前記算出した距離が予め指定されている指定距離の条件を満たす移動体端末装置を広告メール配信先として特定する
ことを特徴とする請求項１に記載の広告メール配信装置。
【請求項４】
前記履歴は、移動体端末装置の識別情報と、前記移動体端末装置の位置範囲情報とを対応付けて保持する履歴であり、
前記広告メール配信先決定手段は、予め指定されている複数の位置範囲情報の全てに対応付けられて前記履歴に保持されており、かつ、前記履歴内において、時間の経過に伴って当該位置範囲情報の遷移する回数が予め指定されている回数の条件を満たす移動体端末装置を広告メール配信先として特定する
ことを特徴とする請求項１に記載の広告メール配信装置。
【請求項５】
前記履歴は、移動体端末装置の識別情報と、前記移動体端末装置の位置範囲情報とを対応付けて保持する履歴であり、
前記広告メール配信先決定手段は、特定の移動体端末装置の識別情報に対応して前記履歴に保持されている複数の異なる位置範囲情報の数を数えて、当該数えた数が予め指定されている数の条件を満たし、かつ、前記履歴内において、時間の経過に伴って当該位置範囲情報の遷移する回数が予め指定されている回数の条件を満たす移動体端末装置を広告メール配信先として特定する
ことを特徴とする請求項１に記載の広告メール配信装置。
【請求項６】
移動体端末装置が存在する地理的位置を時間の経過に対応付けて記録した履歴を記憶する位置情報記憶手段を備えた広告メール配信装置における広告メール配信方法であって、
前記履歴に基づいて、広告メール配信先である前記移動体端末装置を特定する広告メール配信先決定過程
を備えることを特徴とする広告メール配信方法。
【請求項７】
前記履歴は、移動体端末装置の識別情報と、前記移動体端末装置の位置範囲情報とを対応付けて保持する履歴であり、
前記広告メール配信先決定過程において、特定の位置範囲情報が前記履歴で保持されている回数を、移動体端末装置の識別情報毎に数えて、前記回数が予め指定されている指定回数の条件を満たす移動体端末装置を広告メール配信先として特定する
ことを特徴とする請求項６に記載の広告メール配信方法。
【請求項８】
前記履歴は、移動体端末装置の識別情報と、前記移動体端末装置の位置範囲情報とを対応付けて保持する履歴であり、
前記広告メール配信先決定過程において、前記位置範囲情報により特定できる位置情報に基づいて、前記時間の経過に伴って各移動体端末装置が移動した距離を算出し、前記算出した距離が予め指定されている指定距離の条件を満たす移動体端末装置を広告メール配信先として特定する
ことを特徴とする請求項６に記載の広告メール配信方法。
【請求項９】
前記履歴は、移動体端末装置の識別情報と、前記移動体端末装置の位置範囲情報とを対応付けて保持する履歴であり、
前記広告メール配信先決定過程において、予め指定されている複数の位置範囲情報の全てに対応付けられて前記履歴に保持されており、かつ、前記履歴内において、時間の経過に伴って当該位置範囲情報の遷移する回数が予め指定されている回数の条件を満たす移動体端末装置を広告メール配信先として特定する
ことを特徴とする請求項６に記載の広告メール配信方法。
【請求項１０】
前記履歴は、移動体端末装置の識別情報と、前記移動体端末装置の位置範囲情報とを対応付けて保持する履歴であり、
前記広告メール配信先決定過程において、特定の移動体端末装置の識別情報に対応して前記履歴に保持されている複数の異なる位置範囲情報の数を数えて、当該数えた数が予め指定されている数の条件を満たし、かつ、前記履歴内において、時間の経過に伴って当該位置範囲情報の遷移する回数が予め指定されている回数の条件を満たす移動体端末装置を広告メール配信先として特定する
ことを特徴とする請求項６に記載の広告メール配信方法。
【発明の詳細な説明】
【０００１】
【発明の属する技術分野】
この発明は、コンピュータシステムに係り、特に、広告メール配信装置および広告メール配信方法に関するものである。
【０００２】
【従来の技術】
従来、ＧＰＳや移動体端末通信網の仕組みにより携帯電話などの移動体端末装置の地理的位置を把握することができる（例えば、特許文献１参照。）。そして、携帯電話などの移動体端末装置に広告メールとして配信される電子メールは広告配信を希望する業者などが不特定多数の移動体端末装置に送信している。
【０００３】
【特許文献１】
特開２００２−１０８７８４号公報
【０００４】
【発明が解決しようとする課題】
しかしながら、上述の広告メールの配信方法では、移動体端末装置が存在する地理的位置から把握できる位置状況や行動特性に基づいて広告メール配信していないので、これにより利用者の位置状況や行動特性を十分に生かした広告メールの配信を行なうことができていなかった。
そこでこの発明は、移動体端末装置の利用者の位置状況や行動特性に基づいて効果的に広告メールを配信することができる機能を備えた、広告メール配信装置および広告メール配信方法を提供することを目的としている。
【０００５】
【課題を解決するための手段】
本発明は、上述の課題を解決すべくなされたもので、請求項１に記載の発明は、移動体端末装置が存在する地理的位置を時間の経過に対応付けて記録した履歴を記憶する位置情報記憶手段と、前記履歴に基づいて、広告メール配信先である前記移動体端末装置を特定する広告メール配信先決定手段とを備えることを特徴とする広告メール配信装置である。
【０００６】
上述の構成によれば、位置情報記憶手段が、移動体端末装置が存在する地理的位置を時間の経過に対応付けて記録した履歴を記憶し、広告メール配信先決定手段が、前記履歴に基づいて、広告メール配信先である前記移動体端末装置を特定する。
これにより、移動体端末装置の利用者の位置状況や行動特性に基づいて効果的に広告メールを配信することができる。
【０００７】
また、請求項２に記載の発明は、請求項１に記載の広告メール配信装置であって、前記履歴は、移動体端末装置の識別情報と、前記移動体端末装置の位置範囲情報とを対応付けて保持する履歴であり、前記広告メール配信先決定手段は、特定の位置範囲情報が前記履歴で保持されている回数を、移動体端末装置の識別情報毎に数えて、前記回数が予め指定されている指定回数の条件を満たす移動体端末装置を広告メール配信先として特定することを特徴とする。
【０００８】
また、請求項３に記載の発明は、請求項１に記載の広告メール配信装置であって、前記履歴は、移動体端末装置の識別情報と、前記移動体端末装置の位置範囲情報とを対応付けて保持する履歴であり、前記広告メール配信先決定手段は、前記位置範囲情報により特定できる位置情報に基づいて、前記時間の経過に伴って各移動体端末装置が移動した距離を算出し、前記算出した距離が予め指定されている指定距離の条件を満たす移動体端末装置を広告メール配信先として特定することを特徴とする。
【０００９】
また、請求項４に記載の発明は、請求項１に記載の広告メール配信装置であって、前記履歴は、移動体端末装置の識別情報と、前記移動体端末装置の位置範囲情報とを対応付けて保持する履歴であり、前記広告メール配信先決定手段は、予め指定されている複数の位置範囲情報の全てに対応付けられて前記履歴に保持されており、かつ、前記履歴内において、時間の経過に伴って当該位置範囲情報の遷移する回数が予め指定されている回数の条件を満たす移動体端末装置を広告メール配信先として特定することを特徴とする。
【００１０】
また、請求項５に記載の発明は、請求項１に記載の広告メール配信装置であって、前記履歴は、移動体端末装置の識別情報と、前記移動体端末装置の位置範囲情報とを対応付けて保持する履歴であり、前記広告メール配信先決定手段は、特定の移動体端末装置の識別情報に対応して前記履歴に保持されている複数の異なる位置範囲情報の数を数えて、当該数えた数が予め指定されている数の条件を満たし、かつ、前記履歴内において、時間の経過に伴って当該位置範囲情報の遷移する回数が予め指定されている回数の条件を満たす移動体端末装置を広告メール配信先として特定することを特徴とする。
【００１１】
また、請求項６に記載の発明は、移動体端末装置が存在する地理的位置を時間の経過に対応付けて記録した履歴を記憶する位置情報記憶手段を備えた広告メール配信装置における広告メール配信方法であって、前記履歴に基づいて、広告メール配信先である前記移動体端末装置を特定する広告メール配信先決定過程を備えることを特徴とする広告メール配信方法である。
【００１２】
また、請求項７に記載の発明は、請求項６に記載の広告メール配信方法であって、前記履歴は、移動体端末装置の識別情報と、前記移動体端末装置の位置範囲情報とを対応付けて保持する履歴であり、前記広告メール配信先決定過程において、特定の位置範囲情報が前記履歴で保持されている回数を、移動体端末装置の識別情報毎に数えて、前記回数が予め指定されている指定回数の条件を満たす移動体端末装置を広告メール配信先として特定することを特徴とする。
【００１３】
また、請求項８に記載の発明は、請求項６に記載の広告メール配信方法であって、前記履歴は、移動体端末装置の識別情報と、前記移動体端末装置の位置範囲情報とを対応付けて保持する履歴であり、前記広告メール配信先決定過程において、前記位置範囲情報により特定できる位置情報に基づいて、前記時間の経過に伴って各移動体端末装置が移動した距離を算出し、前記算出した距離が予め指定されている指定距離の条件を満たす移動体端末装置を広告メール配信先として特定することを特徴とする。
【００１４】
また、請求項９に記載の発明は、請求項６に記載の広告メール配信方法であって、前記履歴は、移動体端末装置の識別情報と、前記移動体端末装置の位置範囲情報とを対応付けて保持する履歴であり、前記広告メール配信先決定過程において、予め指定されている複数の位置範囲情報の全てに対応付けられて前記履歴に保持されており、かつ、前記履歴内において、時間の経過に伴って当該位置範囲情報の遷移する回数が予め指定されている回数の条件を満たす移動体端末装置を広告メール配信先として特定することを特徴とする。
【００１５】
また、請求項１０に記載の発明は、請求項６に記載の広告メール配信方法であって、前記履歴は、移動体端末装置の識別情報と、前記移動体端末装置の位置範囲情報とを対応付けて保持する履歴であり、前記広告メール配信先決定過程において、特定の移動体端末装置の識別情報に対応して前記履歴に保持されている複数の異なる位置範囲情報の数を数えて、当該数えた数が予め指定されている数の条件を満たし、かつ、前記履歴内において、時間の経過に伴って当該位置範囲情報の遷移する回数が予め指定されている回数の条件を満たす移動体端末装置を広告メール配信先として特定することを特徴とする。
【００１６】
【発明の実施の形態】
以下、本発明の一実施形態による広告メール配信装置を図面を参照して説明する。
図１は、この発明の一実施形態による広告メール配信システムの構成を示す概略ブロック図である。この図において符号１は広告配信依頼者から受付けた広告メールの配信代行を行なう広告メール配信装置である。２は移動体端末装置４に対する通信を受け持つ基地局の緯度及び経度の情報を記憶する位置情報管理装置である。３は広告メール配信装置１の広告メールの配信に伴って発生する通信料金を管理する課金装置である。４は携帯電話などの移動体端末装置である。５は広告メールの配信を依頼する広告配信依頼者の管理している広告送信装置であり、広告配信依頼者は広告送信装置５を用いて広告メールに添付する広告内容と、広告メールの配信条件を広告メール配信装置１へ送信する。
【００１７】
尚、位置情報管理装置２と課金装置３と移動体端末装置４は移動体通信会社が運営管理する移動体通信網内に存在しており、広告メール配信装置１と広告送信装置はインターネット網に接続されている。そして、移動体通信網内の各装置は、移動体通信網とインターネット網が接続されている通信網接続ポイントを介して広告メール配信装置１と接続されている。また基地局は移動体通信網内に存在し移動体通信端末装置４と無線通信を介してデータの送受信を行なう。
【００１８】
また、広告メール配信装置１において、符号１１は送受信処理や広告メール配信処理などの広告メール配信装置１で行われる各処理を行なう制御部（広告メール配信先決定手段）である。また１２は移動体端末装置データベースや地域データベースや広告配信依頼者データベースを備える記憶部（位置情報記憶手段）である。
【００１９】
ここで、記憶部１２に備えられた各データベースで保持する情報について説明する。図２は記憶部１２に備えられた移動体端末装置データベースで保持する３つのデータテーブルを示す図である。そして、移動体端末装置情報テーブルでは、移動体端末装置４毎の移動体端末装置ＩＤ（移動体端末装置の識別情報）と各移動体端末装置ＩＤに対応する電子メールアドレスを対応付けて記憶している。また位置情報履歴テーブルには移動体端末装置ＩＤと時刻と緯度と経度と移動体端末装置４の指定位置範囲を示すエリアコード（移動体端末装置の位置範囲情報）とが対応付けられて書き込まれている。尚、位置情報履歴テーブルで記憶している緯度と経度は位置情報管理装置２から送信される位置情報に含まれる緯度と経度である。そしてこの緯度と経度は移動体端末装置４との通信データの送受信処理を受け持っている基地局の緯度と経度である。そして、位置情報履歴テーブルで記録されているエリアコードは、位置情報履歴テーブルに記録されている基地局の緯度と経度に基づいてエリア区分テーブルから得る事ができるエリアコードである。
【００２０】
また位置情報履歴テーブルに記録されている時刻は位置情報履歴テーブルに各移動体端末装置ＩＤとそれに対応する基地局の位置情報（緯度、経度）とエリアコードが記録された時の時刻である。そして、位置情報は位置情報管理装置２に記憶されており、広告メール配信装置１がその位置情報を取得して記憶部の位置情報履歴テーブルに書き込む。
【００２１】
また移動体端末装置課金情報テーブルには移動体端末装置ＩＤと通信料金と広告配信依頼者ＩＤとが対応づけられて書き込まれている。尚、移動体端末装置課金情報テーブルに書き込まれている通信料金とは、広告メールを移動体端末装置４に配信した時の通信料金であり、移動体端末装置４毎の累計の通信料金である。なお、詳細は後述するが、この通信料金は携帯端末装置４のユーザとなる人物に対して課金される通信料金ではなく、広告メールの配信依頼をする広告配信依頼者に課金される通信料金となる。
【００２２】
図３は記憶部１２に備えられた地域データベースと広告配信依頼者データベースでそれぞれ保持するデータテーブルを示す図である。そして、地域データベースにおいてエリア区分テーブルを保持し、広告配信依頼者データベースにおいて広告配信依頼者課金情報テーブルを保持している。
そして、エリア区分テーブルには緯度と経度とエリアコードが対応付けられて書き込まれている。
尚、エリア区分テーブルに書き込まれている緯度と経度は、エリアコードが示す長方形の指定位置範囲において、対向する頂点（例えば、長方形の左上と右下の頂点）を示す緯度と経度である。
また、広告配信依頼者課金情報テーブルには移動体端末装置ＩＤと通信料金が対応付けられて書き込まれている。尚、広告配信依頼者課金情報テーブルに書き込まれている通信料金は、移動体端末装置４毎の通信料金である。
【００２３】
次に、本発明による広告メール配信装置１の動作の概略を説明する。
まず、広告メール配信装置１の制御部１１は定期的もしくは不定期に移動体端末装置情報テーブルで記憶している各移動体端末装置４の位置情報（移動体端末装置４との無線によるデータ通信を受け持つ基地局の緯度と経度）を取得し記憶部１２で保持する位置情報履歴テーブルへ書き込み、またその基地局の緯度と経度に対応したエリアコードをエリア区分テーブルから読み取り、読み取ったエリアコードと記録した時の時刻を位置情報履歴テーブルへ書き込む。尚、制御部１１は位置情報を定期的もしくは不定期に継続して位置情報管理装置２から取得するので、位置情報履歴テーブルには同じ移動体端末装置ＩＤに関する位置情報と、それに対応するエリアコードと時刻が定規定または不定期に記録される。これにより、制御部１１は各移動体端末装置４の位置情報の履歴を把握することが出来る。
【００２４】
また、広告メール配信装置１の制御部１１は広告送信装置５から広告内容と広告メールの配信条件を受付ける。そして、広告メール配信装置１の制御部１１は配信条件に適合する携帯端末装置４の電子メールアドレスを記憶部１２より取得し、当該電子メールアドレスへ上述の広告内容の電子メールを広告メールとして配信する。尚、配信条件とは移動体端末装置４の位置や移動距離などに基づくものであり、詳細は後述するが、広告メール配信装置１は、所定の方法により移動体端末装置４の位置や移動距離などを把握して、配信条件に適合する移動体端末装置４へ広告メールを配信する。また課金装置３においては広告メール配信装置１が広告メールを配信するにあたり発生する通信料金を移動体端末装置４ごとに記録している。そして課金装置３で記録した移動体端末装置４ごとの通信料金は課金装置３から広告メール配信装置１に配信される。そして広告メール配信装置１では携帯端末装置４ごとの課金情報から広告配信依頼者に対する課金情報を改めて作成し、広告配信依頼者毎の広告送信装置５に送信する。
【００２５】
尚、位置情報管理装置２が移動体端末装置４との通信を受け持つ基地局の緯度と経度を把握する方法は公知である。
そして、上述の広告送信装置５が広告内容と広告メールの配信条件を広告メール配信装置１に送信する処理は、広告メール配信装置１が備える広告内容・配信条件受信手段により行なわれる。この広告内容・配信条件受信手段で行なわれる処理は、具体的には、Ｗｅｂページの配信処理やＷｅｂページを用いた情報の書き込み受付け処理などである。
【００２６】
次に、上述した広告メール配信システムの動作を図４〜図８を参照しながら詳細に説明する。
図４は広告メール配信装置１が移動体端末装置４の位置情報を位置情報管理装置２より取得する際の処理を示すシーケンス図である。この図を用いて、広告メール配信装置１が移動体端末装置４の位置情報を位置情報管理装置２より取得する際の処理を説明する。
まず、広告メール配信装置１の記憶部１２で保持する移動体端末装置情報テーブルでは予め複数の移動体端末装置に関する情報（移動体端末装置ＩＤとそれに対応する電子メールアドレス）を保持している。そして、広告メール配信装置１の制御部１１は位置情報管理装置２に対し、定期的もしくは不定期に移動体端末装置情報テーブルで保持している各移動体端末装置４の位置情報取得の要求（具体的には各移動体端末装置ＩＤの送信）を行なう（ステップＳ１）。そして、位置情報管理装置２は位置情報の要求を受信して（ステップＳ２）、位置情報の要求に含まれる移動体端末装置ＩＤに対応した位置情報を広告メール配信装置１へ送信する（ステップＳ３）。
【００２７】
次に、広告メール配信装置１の制御部１１は、位置情報管理装置２から移動体端末装置ＩＤとそれに対応する位置情報を受信する（ステップＳ４）。そして、広告メール配信装置１の制御部１１は受信した位置情報に対応するエリアコードを記憶部１２の地域データベースで保持するエリア区分テーブルから取得する（ステップＳ５）。
そして広告メール配信装置１の制御部１１は、ステップＳ３で受信した移動体端末装置ＩＤに対応付けて、同じくステップＳ３で受信した位置情報と、ステップＳ５で取得したエリアコードとを記憶部１２の移動体端末装置データベースで保持する位置情報履歴テーブルへ記録し、またその時の日時を位置情報履歴テーブルへ記録する（ステップＳ６）。
【００２８】
次に、第１の配信条件により広告メール配信装置１が広告メールを配信する処理について説明する。
図５は第１の配信条件により広告メール配信装置１が広告メールを配信する際の処理と課金情報を収集する際の処理を示すシーケンス図である。
なお、第１の配信条件は広告メール配信期間と、単一もしくは複数のエリアコードに基づいて地理的位置の範囲を定めた移動体端末装置移動範囲と、予め指定されている指定回数と、指定回数カウント期間とに基づいて広告メールを配信するための条件である。
そして制御部１１は、位置情報管理装置２が移動体端末装置４を指定回数カウント期間内に移動体端末装置移動範囲で検出した数を位置情報履歴テーブルから読み取り、また、当該検出した数が指定回数よりも多い場合には、その移動体端末装置４へ広告メールを配信する。
【００２９】
まず、広告送信装置５が広告内容と配信条件（第１の配信条件）を広告メール配信装置１へ送信する（ステップＳ７）。そして、広告メール配信装置１の制御部１１が広告内容と配信条件を受信する（ステップＳ８）。次に、広告メール配信装置１の制御部１１は配信条件に当てはまる移動体端末装置ＩＤを抽出する（ステップＳ９）。このとき制御部１１は、配信条件から移動体端末装置移動範囲（単一または複数のエリアコード）を把握し、指定回数カウント期間内にその移動体端末装置移動範囲内に位置した移動体端末装置４の移動体端末装置ＩＤの一覧を位置情報履歴テーブルに書き込まれているエリアコードと時刻に基づいて読み取る。そして制御部１１は、その読み取った移動体端末装置ＩＤの一覧の中に同じ移動体端末装置ＩＤが指定回数以上含まれている移動体端末装置ＩＤを広告メール配信先として抽出する。そして、広告メール配信装置１の制御部１１は、この抽出した移動体端末装置ＩＤに対応する電子メールアドレスを記憶部２から読み取る（ステップＳ１０）。
【００３０】
次に、広告メール配信装置１の制御部１１はステップＳ１０で読み取った電子メールアドレスへ広告内容を添付した電子メールである広告メールを配信する（ステップＳ１１）。そして、制御部１１は広告メール配信期間内に指定回数カウント期間が及ぶ場合には、定期的または不定期に情報が変更される位置情報履歴テーブルを用いてステップＳ９のステップＳ１０の処理を繰り返す。
【００３１】
また、一定の時間が来ると課金装置３が広告メール配信装置１へ課金情報（各移動体端末装置ＩＤとそれに対応する広告メールの通信料金）を送信する（ステップＳ１２）。そして課金情報を広告メール配信装置１が受信（ステップＳ１３）すると、制御部１１は移動体端末装置データベースで保持する顧客課金情報テーブルへ、各移動体端末装置ＩＤの広告メール配送にかかった通信料金と、その広告メールを送信した広告配信依頼者のＩＤを対応付けて書き込む（ステップＳ１４）。
【００３２】
次に、第２の配信条件により広告メール配信装置１が広告メールを配信する処理について説明する。
図６は第２の配信条件により広告メール配信装置１が広告メールを配信する際の処理と課金情報を収集する際の処理を示すシーケンス図である。なお、第２の配信条件は広告メール配信日時と、移動体端末装置移動距離と、履歴参照期間（指定期間）とに基づいて広告メールを配信するための条件である。そして広告メール配信装置１は、配信条件の履歴参照期間において移動体端末装置４が移動した距離を、移動体端末装置データベースの位置情報履歴テーブルに書き込まれている基地局の緯度と経度から把握し、そして、移動体端末装置４が移動体端末装置移動距離以上の距離を移動したと判定できる場合に広告メールを配信する。
【００３３】
まず、広告送信装置５が広告内容と配信条件（第２の配信条件）を広告メール配信装置１へ送信する（ステップＳ１５）。そして、広告メール配信装置１の制御部１１が広告内容と配信条件を受信する（ステップＳ１６）。次に、広告メール配信装置１の制御部１１は広告メール配信日時まで待機する（ステップＳ１７）。そして制御部１１は広告メール配信日時になると、履歴参照期間において位置情報履歴テーブルを参照し、履歴参照期間において移動体端末装置移動距離以上の距離を移動したと判定できる移動体端末装置の各移動体端末装置ＩＤを読み取る（ステップＳ１８）。
【００３４】
例えば、履歴参照期間において緯度・経度ａ、緯度・経度ｂ、緯度・経度ｃ、緯度・経度ｄ、緯度・経度ｅ、緯度・経度ｆの位置情報が位置情報履歴テーブルに記録されている移動体端末装置Ａがあるとする。このとき制御部１１は、緯度・経度ａ〜緯度・経度ｆの中で２点間の距離が最も長い距離を計算し、その計算した距離が配信条件の移動体端末装置移動距離以上か否かを計算する。そして計算した距離が移動体端末装置移動距離以上である場合には、制御部１１は移動体端末装置Ａに広告メールを配信すると決定し、移動体端末装置Ａの移動体端末装置ＩＤを読み取る。そして、広告メール配信装置１の制御部１１は、この読み取った移動体端末装置ＩＤに対応する電子メールアドレスを記憶部２から読み取る（ステップＳ１９）。次に、広告メール配信装置１の制御部１１はステップＳ９で読み取った電子メールアドレスへ広告内容を添付した電子メールである広告メールを配信する（ステップＳ２０）。
【００３５】
また、一定の時間が来ると課金装置３が広告メール配信装置１へ課金情報（各移動体端末装置ＩＤとそれに対応する広告メールの通信料金）を送信する（ステップＳ２１）。そして課金情報を広告メール配信装置１が受信（ステップＳ２２）すると、制御部１１は移動体端末装置データベースで保持する顧客課金情報テーブルへ、各移動体端末装置ＩＤの広告メール配送にかかった通信料金と、その広告メールを送信した広告配信依頼者のＩＤを対応付けて書き込む（ステップＳ２３）。
【００３６】
次に、第３の配信条件により広告メール配信装置１が広告メールを配信する処理について説明する。
図７は第３の配信条件により広告メール配信装置１が広告メールを配信する際の処理と課金情報を収集する際の処理を示すシーケンス図である。なお、第３の配信条件は広告メール配信日時と複数の指定エリアコードと履歴参照期間とエリアコードの遷移回数に基づいて広告メールを配信するための条件である。
そして広告メール配信装置１は、配信条件で設定される複数の指定エリアコード全てに対応付けられて位置情報履歴テーブルに保持されている移動体端末装置４であり、また、位置情報履歴テーブルに保持されているエリアコードの、時間に伴う遷移が予め指定されている回数（エリアコードの遷移回数）の条件を満たす移動体端末装置４に広告メールを配信する。
【００３７】
まず、広告送信装置５が広告内容と配信条件（第３の配信条件）を広告メール配信装置１へ送信する（ステップＳ２４）。そして、広告メール配信装置１の制御部１１が広告内容と配信条件を受信する（ステップＳ２５）。次に、広告メール配信装置１の制御部１１は広告メール配信日時まで待機する（ステップＳ２６）。そして制御部１１は広告メール配信日時になると、位置情報履歴テーブルを参照する。そして、履歴参照期間内において、予め指定された指定エリアコード全てのエリアコードの履歴を位置情報履歴テーブルに記録しており、また、時間に伴って、当該エリアコードが遷移する回数（位置情報履歴テーブルにおいて、予め指定された指定エリアコードが変化する回数）が配信条件で示されるエリアコードの遷移回数よりも多い移動体端末装置４の移動体端末装置ＩＤを、位置情報履歴テーブルから読み取る（ステップＳ２７）。そして、広告メール配信装置１の制御部１１は、ステップＳ２７で読み取った移動体端末装置ＩＤに対応する電子メールアドレスを記憶部２から読み取る（ステップＳ２８）。
次に、広告メール配信装置１の制御部１１はステップＳ２８で読み取った電子メールアドレスへ広告内容を添付した電子メールである広告メールを配信する（ステップＳ２９）。
【００３８】
また、一定の時間が来ると課金装置３が広告メール配信装置１へ課金情報（各移動体端末装置ＩＤとそれに対応する広告メールの通信料金）を送信する（ステップＳ３０）。そして課金情報を広告メール配信装置１が受信（ステップＳ３１）すると、制御部１１は移動体端末装置データベースで保持する顧客課金情報テーブルへ、各移動体端末装置ＩＤの広告メール配送にかかった通信料金と、その広告メールを送信した広告配信依頼者のＩＤを対応付けて書き込む（ステップＳ３２）。
【００３９】
次に、第４の配信条件により広告メール配信装置１が広告メールを配信する処理について説明する。
図８は第４の配信条件により広告メール配信装置１が広告メールを配信する際の処理と課金情報を収集する際の処理を示すシーケンス図である。なお、第４の配信条件は広告メール配信日時と移動エリア区分数と履歴参照期間とエリアコードの遷移回数に基づいて広告メールを配信するための条件である。
そして広告メール配信装置１は、位置情報履歴テーブルに書き込まれている特定の移動体端末装置４が移動エリア区分数の数だけ検出されているという事がわかり、また、位置情報履歴テーブルに保持されているエリアコードの、時間に伴う遷移が予め指定されている回数（エリアコードの遷移回数）の条件を満たす移動体端末装置４に広告メールを配信する。
【００４０】
まず、広告送信装置５が広告内容と配信条件（第４の配信条件）を広告メール配信装置１へ送信する（ステップＳ３３）。そして、広告メール配信装置１の制御部１１が広告内容と配信条件を受信する（ステップＳ３４）。次に、広告メール配信装置１の制御部１１は広告メール配信日時まで待機する（ステップＳ３５）。そして制御部１１は広告メール配信日時になると、位置情報履歴テーブルを参照し、履歴参照期間内において、配信条件である移動エリア区分数の数だけ位置情報履歴テーブルに複数の異なるエリアコードの履歴が掲載されており、また、時間に伴って、エリアコードが遷移する回数（位置情報履歴テーブルにおいてエリアコードが変化する回数）が配信条件で示されるエリアコードの遷移回数よりも多い移動体端末装置４の移動体端末装置ＩＤを、位置情報履歴テーブルから読み取る（ステップＳ３６）。そして、広告メール配信装置１の制御部１１は、ステップＳ３６で読み取った移動体端末装置ＩＤに対応する電子メールアドレスを記憶部２から読み取る（ステップＳ３７）。次に、広告メール配信装置１の制御部１１はステップＳ３７で読み取った電子メールアドレスへ広告内容を添付した電子メールである広告メールを配信する（ステップＳ３８）。
【００４１】
また、一定の時間が来ると課金装置３が広告メール配信装置１へ課金情報（各移動体端末装置ＩＤとそれに対応する広告メールの通信料金）を送信する（ステップＳ３９）。そして課金情報を広告メール配信装置１が受信（ステップＳ４０）すると、制御部１１は移動体端末装置データベースで保持する顧客課金情報テーブルへ、各移動体端末装置ＩＤの広告メール配送にかかった通信料金と、その広告メールを送信した広告配信依頼者のＩＤを対応付けて書き込む（ステップＳ４１）。
【００４２】
図９は広告メール配信装置１が課金情報を集計する際の処理を示すシーケンス図である。
まず、広告メール配信装置１制御部１１は定期的に課金情報集計・送信処理を始める（ステップＳ４２）。そして広告メール配信装置１の制御部１１は移動体端末装置データベースで保持する移動体端末装置課金情報テーブルから広告配信依頼者ＩＤと、その広告配信依頼者ＩＤに関連づけられて記録されている通信料金（移動体端末装置毎の課金情報）とを取得する（ステップＳ４３）。そして、制御部１１は広告配信依頼者データベースで保持する広告配信依頼者課金情報テーブルへ、広告配信依頼者ＩＤごとに各広告配信依頼者が広告メールを配信した通信料金（広告配信依頼者毎の課金情報）を書き込む（ステップＳ４４）。
そして、広告メール配信装置１の制御部１１は各広告送信装置５へその広告送信装置５を保有する広告配信依頼者の通信料金を送信する（ステップＳ４５）。
【００４３】
以上、本発明の実施形態について説明したが、図１の広告メール配信装置１における各処理部の機能を実現するためのプログラムをコンピュータ読み取り可能な記録媒体に記録して、この記録媒体に記録されたプログラムをコンピュータシステムに読み込ませ、実行することにより上述の処理を行っても良い。なお、ここでいう「コンピュータシステム」とは、オペレーティングシステムや周辺機器等を含むものとする。
また、「コンピュータシステム」は、ＷＷＷ（Ｗｏｒｌｄ  Ｗｉｄｅ  Ｗｅｂ）システムを利用している場合であれば、ＷＷＷサーバ環境あるいはＷＷＷ表示環境を含むものとする。
また、「コンピュータ読み取り可能な記録媒体」とは、フロッピー（登録商標）ディスク、光磁気ディスク、ＲＯＭ、ＣＤ−ＲＯＭ等の可搬媒体、コンピュータシステムにおけるハードディスク等の記憶装置のことをいう。さらに「コンピュータ読み取り可能な記録媒体」とは、電気通信回線を介してプログラムが伝送される場合のコンピュータシステム内部の揮発性メモリ（半導体リードライトメモリ）などのように、少なくとも一定時間プログラムを保持するものをも含むものとする。
また、上記プログラムは、このプログラムを記憶装置等に格納したコンピュータシステムから電気通信回線の伝送媒体を介して他のコンピュータシステムに伝送されるものであっても良い。ここで電気通信回線の伝送媒体とは、電気あるいは電磁波等による信号を伝える物理的性質を持つ、金属線、光ファイバ、電磁場等のことをいう。
また、上記プログラムは、前述した機能の一部を実現するものであっても良い。さらに、前述した機能をコンピュータシステム上に既に記録されているプログラムとの組み合わせで実現できるもの、いわゆる差分プログラムであっても良い。
【００４４】
【発明の効果】
以上説明したように、位置情報記憶手段が、移動体端末装置が存在する地理的位置を時間の経過に対応付けて記録した履歴を記憶し、広告メール配信先決定手段が、前記履歴に基づいて、広告メール配信先である前記移動体端末装置を特定する。
これにより、移動体端末装置の地理的位置を時間の経過に基づいて記録した履歴を用いて移動体端末装置の利用者の位置状況や行動特性を把握し、その位置状況や行動特性に基づいて効果的に広告メールを配信することができる。
【図面の簡単な説明】
【図１】この発明の一実施形態による広告メール配信システムの構成を示す概略ブロック図である。
【図２】記憶部１２に備えられた移動体端末装置データベースで保持する３つのデータテーブルを示す図である。
【図３】記憶部１２に備えられた地域データベースと広告配信依頼者データベースでそれぞれ保持するデータテーブルを示す図である。
【図４】広告メール配信装置１が移動体端末装置４の位置情報を位置情報管理装置２より取得する際の処理を示すシーケンス図である。
【図５】第１の配信条件により広告メール配信装置１が広告メールを配信する際の処理と課金情報を収集する際の処理を示すシーケンス図である。
【図６】第２の配信条件により広告メール配信装置１が広告メールを配信する際の処理と課金情報を収集する際の処理を示すシーケンス図である。
【図７】第３の配信条件により広告メール配信装置１が広告メールを配信する際の処理と課金情報を収集する際の処理を示すシーケンス図である。
【図８】第４の配信条件により広告メール配信装置１が広告メールを配信する際の処理と課金情報を収集する際の処理を示すシーケンス図である。
【図９】広告メール配信装置１が課金情報を集計する際の処理を示すシーケンス図である。
【符号の説明】
１  広告メール配信装置
２  位置情報管理装置
３  課金装置
４  移動体端末装置
５  広告送信装置
１１  制御部
１２  記憶部
【図１】
2004151954.tif 000003
【図２】
2004151954.tif 000004
【図３】
2004151954.tif 000005
【図４】
2004151954.tif 000006
【図５】
2004151954.tif 000007
【図６】
2004151954.tif 000008
【図７】
2004151954.tif 000009
【図８】
2004151954.tif 000010
【図９】
2004151954.tif 000011